(57)【要約】      （修正有）【課題】ランドセルに容易に取り付けられて複数の所持品を保持できるランドセルフックを提供する。【解決手段】第１の所持品を保持するナスカン１０と、ナスカン１０のＤ環１０ａを通す帯状の第１のループ２ａと、ランドセルのサイドベルトを通す帯状の第２のループ２ｂと、第３の所持品を保持する帯状の第３のループ２ｃを備えるバンド１１を有し、第２のループ２ｂをスナップボタン１２ｂ，１３ａで開閉可能とし、第３のループ２ｃをスナップボタン１４ｂ，１５ａで開閉可能としたランドセルフックである。【選択図】図２
0003218173.tif 000002
【実用新案登録請求の範囲】
【請求項１】
ランドセルに取り付けられるランドセルフックであって、
第１の所持品を保持するナスカンと、
前記ナスカンの固定リングを通す帯状の第１のループ部と、
前記ランドセルのベルトを通す帯状の第２のループ部と、
第２の所持品を保持する帯状の第３のループ部と、を備え、
前記第２のループ部と前記第３のループ部を開閉可能としたことを特徴とするランドセルフック。
【請求項２】
第２のループ部の開閉可能な機構としてスナップボタンを用いたことを特徴とする請求項１記載のランドセルフック。
【請求項３】
第３のループ部の開閉可能な機構としてスナップボタンを用いたことを特徴とする請求項１又は２記載のランドセルフック。
【請求項４】
第１のループ部、第２のループ部及び第３のループ部を連続する１本のバンドで構成したことを特徴とする請求項１乃至３のいずれか記載のランドセルフック。
【請求項５】
バンドには、反射材が織り込まれていることを特徴とする請求項４記載のランドセルフック。
【考案の詳細な説明】
【技術分野】
【０００１】
本考案は、ランドセルフックに係り、特に、多くの所持品を吊り下げられるランドセルフックに関する。
【背景技術】
【０００２】
［先行技術の説明］
最近、小学生は持ち物が多く、登下校時に両手がふさがるほどの荷物を持ち歩く子供たちを見かけることがある。
両手がふさがることで、転倒時に怪我をするおそれがあり、車両との接触も心配される。
また、所持品の種類によってぶら下げる箇所が決まっていないために忘れ物も多くなる傾向にある。
そこで、従来のランドセルフックとして、ランドセルのサイドに取り付けるものがあった。
【０００３】
［関連技術］
尚、関連する先行技術としては、実用新案登録第３１５６８８４号公報「吊り下げ具」（特許文献１）、実用新案登録第３１７２０５２号公報「ランドセル用吊下具」（特許文献２）、実用新案登録第３１７６１８９号公報「ランドセル用吊下具」（特許文献３）、実用新案登録第３２０３７９０号公報「吊り下げ部材およびランドセル」（特許文献４）、実開平０６−０２４５１７号公報「ランドセルの茄子環」（特許文献５）がある。
【０００４】
特許文献１には、フックを支持部材で回転自在にするものの、フックの回転を抑制する回転抑制部を備えることが記載されている。
特許文献２には、吊下具が所定以上の力で引っ張られると、なす環は吊下具から離脱することが記載されている。
特許文献３には、ランドセルに取り付けた吊下具のなす環のガタツキを防止することが記載されている。
【０００５】
特許文献４には、掛け部材から引張力が作用した際に破損を抑制できることが記載されている。
特許文献５には、取り付け具のみをランドセル本体に予め取り付けておき、ランドセル完成後に茄子環本体を装着して製造工程を容易にすることが記載されている。
【先行技術文献】
【特許文献】
【０００６】
【特許文献１】実用新案登録第３１５６８８４号公報
【特許文献２】実用新案登録第３１７２０５２号公報
【特許文献３】実用新案登録第３１７６１８９号公報
【特許文献４】実用新案登録第３２０３７９０号公報
【特許文献５】実開平０６−０２４５１７号公報
【考案の概要】
【考案が解決しようとする課題】
【０００７】
しかしながら、従来のランドセルフックでは、予めランドセルに取り付けられている構成が多く、ランドセル購入後に追加して取り付けるものも想定されるが、容易に取り付けられて、１つで複数の所持品を保持できるものではないという問題点があった。
【０００８】
尚、特許文献１〜５には、ランドセルに容易に取り付けられて複数の所持品を吊り下げることは記載されていない。
【０００９】
本考案は上記実状に鑑みて為されたもので、ランドセルに容易に取り付けられて複数の所持品を保持できるランドセルフックを提供することを目的とする。
【課題を解決するための手段】
【００１０】
上記従来例の問題点を解決するための本考案は、ランドセルに取り付けられるランドセルフックであって、第１の所持品を保持するナスカンと、ナスカンの固定リングを通す帯状の第１のループ部と、ランドセルのベルトを通す帯状の第２のループ部と、第２の所持品を保持する帯状の第３のループ部とを備え、第２のループ部と第３のループ部を開閉可能としたことを特徴とする。
【００１１】
本考案は、上記ランドセルフックにおいて、第２のループ部の開閉可能な機構としてスナップボタンを用いたことを特徴とする。
【００１２】
本考案は、上記ランドセルフックにおいて、第３のループ部の開閉可能な機構としてスナップボタンを用いたことを特徴とする。
【００１３】
本考案は、上記ランドセルフックにおいて、第１のループ部、第２のループ部及び第３のループ部を連続する１本のバンドで構成したことを特徴とする。
【００１４】
本考案は、上記ランドセルフックにおいて、バンドには、反射材が織り込まれていることを特徴とする。
【考案の効果】
【００１５】
本考案によれば、第１の所持品を保持するナスカンと、ナスカンの固定リングを通す帯状の第１のループ部と、ランドセルのベルトを通す帯状の第２のループ部と、第２の所持品を保持する帯状の第３のループ部とを備え、第２のループ部と第３のループ部を開閉可能としたランドセルフックとしているので、ランドセルに容易に取り付けられて複数の所持品を保持できる効果がある。
【図面の簡単な説明】
【００１６】
【図１】本フックの正面図である。
【図２】本フックの側面図である。
【図３】本フックの展開図である。
【図４】本フックの使用例を示す概略図である。
【考案を実施するための形態】
【００１７】
本考案の実施の形態について図面を参照しながら説明する。
［実施の形態の概要］
本考案の実施の形態に係るランドセルフック（本フック）は、第１の所持品を保持するナスカンと、ナスカンの固定リングを通す帯状の第１のループ部と、ランドセルのサイドベルトを通す帯状の第２のループ部と、第２の所持品を保持する帯状の第３のループ部と、を備え、第２のループ部と第３のループ部をスナップボタンで開閉可能としたものであり、ランドセルに容易に取り付けられて複数の所持品を保持できるものである。
【００１８】
［本フック：図１〜３］
本フックについて図１〜３を参照しながら説明する。図１は、本フックの正面図であり、図２は、本フックの側面図であり、図３は、本フックの展開図である。図３では、本フックのバンド１１の内側を示すものとなっている。
本フック１は、図１〜３に示すように、所持品（第１の所持品）を引っ掛けて保持するナスカン１０と、バンド１１と、スナップボタン１２ａ，１２ｂ，１３ａ，１４ａ，１４ｂ，１５ａとから構成されている。
後述するように、バンド１１は、１本の帯状となっており、その途中にスナップボタンが設けられている。
【００１９】
［ループの位置関係］
本フック１は、図２に示すように、第１の所持品を引っ掛けるナスカン１０を備え、その固定リング（Ｄ環）１０ａを通す第１のループ２ａが中央に設けられ、その上側にはランドセルのサイドベルトを通す第２のループ２ｂが形成され、更に、下側には第２の所持品を引っ掛ける第３のループ２ｃが形成されるものとなっている。
【００２０】
［本フックの各部］
図３の上部にナスカン１０が設けられ、その固定リング（Ｄ環）１０ａにバンド１１の先端を通して折り返し、スナップボタン１２ａとスナップボタン１２ｂで折り返した部分を固定することで、第１のループ２ａが形成された状態となっている。上記スナップボタン１２ａ，１２ｂが外れないよう固定されており、第１のループ２ａが解除できない構成となっている。
【００２１】
そして、図３において、本体の上部を内側（手前側）に畳んで、スナップボタン１２ｂとスナップボタン１３ａを固定することで、ランドセルのバンドに引っ掛ける第２のループ２ｂを形成する。
また、図３において、本体の下部を内側に畳んで、スナップボタン１５ａとスナップボタン１４ｂを固定することで、第２の所持品を引っ掛ける第３のループ２ｃを形成する。
【００２２】
従って、第１のループ２ａは、解除できないが、第２のループ２ｂは、スナップボタン１２ｂとスナップボタン１３ａの着脱により開閉でき、第３のループ２ｃは、スナップボタン１４ｂとスナップボタン１５ａの着脱により開閉できるものとなっている。
【００２３】
ナスカン１０は、フック形状で、一方の横部分がバネによって開閉する構造となっている。当該バネのレバーを内側に押すことで開き、押している指を離すと閉じるものである。
また、ナスカン１０のフック側とは反対側にはＤ環（リング）１０ａが形成されている。
【００２４】
スナップボタン１２ａ，１２ｂ，１３ａ，１４ａ，１４ｂの具体的な形状は後述する。
第１のループ２ａを形成している部材は、請求項での第１のループ部である。
第２のループ２ｂを形成している部材は、請求項での第２のループ部である。
第３のループ２ｃを形成している部材は、請求項での第３のループ部である。
【００２５】
そして、バンド１１の他方の端部では、表面からスナップボタン１４ａと裏面からスナップボタン１４ｂが固定されて外れない構成となっている。これは、スナップボタン１４ｂをスナップボタン１４ａで補強するためのものである。
【００２６】
［本フックの展開：図３］
次に、本フック１についてスナップボタンをはずして展開した構成について図３を参照しながらスナップボタン等の形状を踏まえながら具体的に説明する。
尚、図３において、スナップボタンの中央が白丸であるのがオス型であり、中央が黒丸であるのがメス型として区別している。
図３に示すように、バンド１１は、長手方向に２列に反射材が複数織り込まれている。
【００２７】
バンド１１の一方の端部は折り返されて、ナスカン１０のＤ環１０ａを通して、スナップボタン１２ａ，１２ｂで固定され、第１のループ２ａが形成されている。
ここで、スナップボタン１２ａはメス型（凹形状）で、スナップボタン１２ｂはスナップボタン１２ａ側（表側）がオス型（凸形状）で反対側（裏面）がメス型となっている。
つまり、スナップボタン１２ｂは、一方向の面がオス型で、他方の面がメス型の形状となっており、バンド１１を裏から表に貫通している。
【００２８】
バンド１１の中央上部にスナップボタン１３ａが形成され、中央下部にスナップボタン１５ａが形成されている。
スナップボタン１３ａは、本体の裏面においてオス型でスナップボタン１２ｂのメス型にはめ込まれて固定されるようになっている。これにより、第２のループ２ｂが形成される。ただし、この固定は、引っ張れば外れるようになっている。
【００２９】
スナップボタン１５ａは、本体の裏面においてオス型でスナップボタン１４ｂのメス型にはめ込まれて固定されるようになっている。これにより、第３のループ２ｃが形成される。ただし、この固定は、引っ張れば外れるようになっている。
【００３０】
バンド１１の他方の端部では、スナップボタン１４ａ，１４ｂで固定されている。
ここで、スナップボタン１４ａはメス型で、スナップボタン１４ｂは、スナップボタン１２ｂと同様の形状であり、スナップボタン１４ａ側（表側）がオス型で反対側（裏側）がメス型となっている。
【００３１】
尚、スナップボタン１４ｂを単純なメス型にするのではなく、スナップボタン１４ａと組み合わせて使用することにより、バンド１１を挟んだ状態で固定して、補強するためである。
【００３２】
［本フックの使用例：図４］
次に、本フックの使用方法について図４を参照しながら説明する。図４は、本フックの使用例を示す概略図である。
ランドセル５のサイドベルト５ａへの取り付けは、サイドベルト５ａに本フック１のバンド１１の一方の端部を通して、スナップボタン１３ａとスナップボタン１２ｂを固定し、第２のループ２ｂ内をサイドベルト５ａが通るようにする。
【００３３】
次に、手提げバッグ４のハンドル部分にバンド１１の他方の端部を通して、スナップボタン１５ａとスナップボタン１４ｂを固定し、第３のループ２ｃ内をハンドル部分が通るようにする。
そして、ナスカン１０に手提げ袋３の紐を通す。
【００３４】
これにより、本フック１は、ランドセル５のサイドベルト５ａに固定され、手提げバッグ４と手提げ袋３を吊り下げて保持することができる。
ここで、ナスカン１０は、紐状の袋を吊り下げるのに適しているが、第３のループ２ｃは、幅のあるハンドル等を吊り下げるのに適している。所持品の種類によって使い分けることができる。
【００３５】
［実施の形態の効果］
本フックによれば、第１の所持品を保持するナスカン１０と、ナスカン１０のＤ環１０ａを通す帯状の第１のループ２ａと、ランドセル５のサイドベルト５ａを通す帯状の第２のループ２ｂと、第３の所持品を保持する帯状の第３のループ２ｃを備えるバンド１１を有し、第２のループ２ｂをスナップボタン１２ｂ，１３ａで開閉可能とし、第３のループ２ｃをスナップボタン１４ｂ，１５ａで開閉可能としているので、ランドセル５に容易に取り付けられて複数の所持品を保持できる効果がある。
【産業上の利用可能性】
【００３６】
本考案は、ランドセルに容易に取り付けられて複数の所持品を保持できるランドセルフックに適している。
【符号の説明】
【００３７】
１…本フック、  ２ａ…第１のループ、  ２ｂ…第２のループ、  ２ｃ第３のループ…、  １０…ナスカン、  １０ａ…Ｄ環、  １１…バンド、  １２ａ，１２ｂ，１３ａ，１４ａ，１４ｂ，１５ａ…スナップボタン、  ３…手提げ袋、  ４…手提げバッグ、  ５…ランドセル、  ５ａ…サイドベルト
【図１】
0003218173.tif 000003
【図２】
0003218173.tif 000004
【図３】
0003218173.tif 000005
【図４】
0003218173.tif 000006